(57)【要約】      （修正有）【課題】著作権保護すべきディジタル情報の記録再生装置における記録媒体への記録制限を行える装置及び方法を提供する。【解決手段】記録再生制御回路は、コピー制御情報が、（Ｃｏｐｙ  Ｏｎｅ  Ｇｅｎｅｒａｔｉｏｎ）である場合には、情報とともに、予め定めたビットレートに情報を変換した変換ディジタル情報と、前記コピー回数情報を前記記録媒体に記録し、コピー制御情報に従い、（Ｃｏｐｙ  Ｎｏ  Ｍｏｒｅ）でありながら、当該再生装置に接続された記録装置の記録媒体に前記ディジタル情報あるいは前記変換ディジタル情報を移動する場合は、許可回数を減じて前記コピー回数情報を更新し、前記ディジタル情報信号あるいは前期変換ディジタル情報と前記コピー制御情報および前記コピー回数情報を再度記録媒体に記録するとともに、前記ディジタル情報信号あるいは前記変換ディジタル情報を再生不能化する構成とした。【選択図】図１０
2006114090.tif 000002
【特許請求の範囲】
【請求項１】
ディジタル情報及び前記ディジタル情報のコピー制御情報を受信し、
前記コピー制御情報は、前記ディジタル情報の記録媒体への記録を制御する情報であり、
前記受信されたコピー制御情報が、一世代のみ記録を許すことを示すもの（Copy  One  Generation）である場合、第１の記録媒体にディジタル情報のコピー許可回数と共に前記ディジタル情報を記録し、
前記記録されたディジタル情報を第２の記録媒体へ移動させる際、新たに前記ディジタル情報及び更新したコピー許可回数を前記第１の記録媒体に記録し、
前記第１の記録媒体に記録されたコピー許可回数を表示装置に出力するディジタル記録再生方法。
【請求項２】
映像情報または音声情報を含むディジタル情報を、記録媒体に記録し再生するためのディジタル情報記録再生装置において、
前記ディジタル情報には、該ディジタル情報を記録媒体に記録することを許すか否かを示すコピー制御情報を含み、
前記ディジタル情報を、所定の処理を行って記録する記録回路と、
前記ディジタル情報に、所定の処理を行って出力する再生回路と、
前記ディジタル情報から、前記コピー制御情報を検出する制御検出回路と、
前記記録媒体に記録された前記ディジタル情報の、少なくとも一部を再生不能化する不能化回路と、
前記ディジタル情報の記録媒体へのコピーの予め定められた許可回数を示すコピー回数情報を更新するコピー回数情報更新回路と、
前記検出回路での検出結果に基づき、前記再生回路の再生動作と前記記録回路の記録動作を制御する記録再生制御回路と、
を備え、
前記記録再生制御回路は、前記記録回路を制御し、
前記コピー制御情報が、一世代のみ記録を許すことを示すもの（Ｃｏｐｙ  Ｏｎｅ  Ｇｅｎｅｒａｔｉｏｎ）である場合には、前記ディジタル情報とともに、予め定めた数の予め定めたビットレートに前記ディジタル情報を変換した変換ディジタル情報と、前記コピー回数情報を前記記録媒体に記録し、
さらに前記記録再生制御回路は、前記制御検出回路で検出したコピー制御情報に従い、前記不能化回路の不能化動作と、前記移動制御情報更新回路の更新動作を制御し、
前記記録媒体から再生した前記ディジタル情報あるいは前記変換ディジタル情報の前記コピー制御情報が、これ以上の記録を許さないことを示すもの（Ｃｏｐｙ  Ｎｏ  Ｍｏｒｅ）でありながら、当該再生装置に接続された記録装置に備えられた前記他の記録媒体に前記ディジタル情報あるいは前記変換ディジタル情報を移動する場合は、
前記コピー回数更新回路で、許可回数を減じて前記コピー回数情報を更新し、前記記録回路で前記ディジタル情報信号あるいは前期変換ディジタル情報と前記コピー制御情報および前記コピー回数情報を再度記録媒体に記録するとともに、前記不能化回路で再生した前記ディジタル情報信号あるいは前記変換ディジタル情報を再生不能化することを特徴とするディジタル情報記録再生装置。
【請求項３】
請求項２に記載のディジタル情報記録再生装置において、
前記記録再生制御回路は、前記記録装置に備えられる前記他の記録媒体が記録可能なビットレートに変換することを特徴とするディジタル情報記録再生装置。
【請求項４】
請求項３に記載のディジタル情報記録再生装置において、
前記記録装置は、一つあるいは複数備え、異なるフォーマットの前記他の記録媒体を装着可能であることを特徴とするディジタル情報記録再生装置。
【請求項５】
請求項２に記載のディジタル情報記録再生装置において、
前記記録回路は、前記ディジタル情報あるいは前記変換ディジタル情報を暗号化して前記記録媒体に記録し、
前記再生回路は、前記記録媒体から再生した暗号化された前記ディジタル情報あるいは前記変換ディジタル情報を復号化して出力することを特徴とするディジタル情報記録再生装置。
【請求項６】
請求項５に記載のディジタル情報記録再生装置において、
前記記録回路、および前記再生回路は、前記コピー回数情報を暗号化鍵の種の一つとすることを特徴とするディジタル情報記録再生装置。
【請求項７】
請求項４に記載のディジタル情報記録再生装置において、
前記記録再生制御回路は、予め利用者に、前記ディジタル情報の移動先である前記他の記録媒体を一つあるいは複数選択可能にし、選択された前記他の記録媒体が記録可能なビットレートに変換することを特徴とするディジタル情報記録再生装置。
【請求項８】
請求項４に記載のディジタル情報記録再生装置において、
前記記録媒体に記録した前記ディジタル情報の移動可能先を、前記ディジタル情報毎に利用者に表示して、移動先である前記他の記録媒体を選択を可能にしたことを特徴とするディジタル情報記録再生装置。
【請求項９】
請求項４に記載のディジタル情報記録再生装置において、
前記記録媒体に記録した前記ディジタル情報の移動可能回数として、前記コピー回数情報を前記ディジタル情報毎に利用者に表示したことを特徴とするディジタル情報記録再生装置。
【発明の詳細な説明】
【技術分野】
【０００１】
本発明は、著作権保護すべきディジタル情報の記録媒体への記録制限を行える装置に関する。
【背景技術】
【０００２】
コピー世代制御に対応したディジタルコンテンツの記録再生装置に関連する文献として、以下のような特許文献１がある。特許文献１には、コピー制御情報が一世代のみコピー可能を示す「Copy One Generation」コンテンツを記録媒体に記録する際に、規定の時間以内では「Copy One Generation」として記録することにより、一部記録し損じた部分を補い、または記録媒体へ同一コンテンツを複数個記録することにより、他の媒体へバックアップをとった上でハードディスク上の情報で視聴することを可能としたディジタルコンテンツの記録再生装置に関連している。
【０００３】
【特許文献１】特開２００２−３１９２２７
【発明の開示】
【発明が解決しようとする課題】
【０００４】
近年、携帯電話などの携帯端末にも高精度な液晶モニタが搭載されつつあり、移動中もしくは移動先においても、ディジタルコンテンツの視聴が可能な環境が整備されつつある。前記環境下において、特許文献１に示した記録再生装置では、複数記録したコンテンツのうちのひとつを前記の携帯端末に移動して、視聴することが考えられる。
【０００５】
しかし、特許文献１に示した記録再生装置には、その具体的な実現手段が記載されていない。また、他の媒体へバックアップする回数を制限する手段が無いため、著作権者が「Copy One Generation」のコンテンツに対して、バックアップする回数を規定し、著作権の保護を実現することができない。
【０００６】
また、バックアップ対象の他媒体は、半導体メモリ、光ディスク等さまざまなものが考えられ、これらは記録再生装置内に接続されたハードディスクに対して、記録可能な容量は少なくなる為、記録時の圧縮率から、各媒体にあわせた圧縮率に変換する必要が生じる。
【課題を解決するための手段】
【０００７】
上記課題を解決するために、映像情報または音声情報を含むディジタル情報を、記録媒体に記録し再生するためのディジタル情報記録再生装置において、前記ディジタル情報には、該ディジタル情報を記録媒体に記録することを許すか否かを示すコピー制御情報を含み、前記ディジタル情報を、所定の処理を行って記録する記録回路と、前記ディジタル情報に、所定の処理を行って出力する再生回路と、前記ディジタル情報から、前記コピー制御情報を検出する制御検出回路と、前記記録媒体に記録された前記ディジタル情報の、少なくとも一部を再生不能化する不能化回路と、前記検出回路での検出結果に基づき、前記再生回路の再生動作と前記記録回路の記録動作を制御する記録再生制御回路と、を備え、前記記録再生制御回路は、前記記録回路を制御し、前記コピー制御情報が、一世代のみ記録を許すことを示すもの（Ｃｏｐｙ  Ｏｎｅ  Ｇｅｎｅｒａｔｉｏｎ）である場合には、前記ディジタル情報を、予め定めた数、前記記録媒体に記録し、さらに前記記録再生制御回路は、前記制御検出回路で検出したコピー制御情報に従い、前記不能化回路の不能化動作を制御し、前記記録媒体から再生した前記ディジタル情報の前記コピー制御情報が、これ以上の記録を許さないことを示すもの（Ｃｏｐｙ  Ｎｏ  Ｍｏｒｅ）でありながら、当該再生装置に接続された記録装置に備えられた他の記録媒体に前記ディジタル情報を移動する場合は、再生した前記ディジタル情報信号を前記不能化回路で再生不能化する構成とした。
【０００８】
また、前期ディジタル情報記録再生装置において、前記記録装置は、一つあるいは複数備え、異なるフォーマットの前記他の記録媒体を装着可能な構成とした。
【０００９】
また、前記ディジタル情報記録再生装置において、前記記録媒体に記録した前記ディジタル情報の移動可能先を、前記ディジタル情報毎に利用者に表示して、移動先である前記他の記録媒体を選択を可能な構成とした。
【００１０】
また、映像情報または音声情報を含むディジタル情報を、記録媒体に記録し再生するためのディジタル情報記録再生装置において、前記ディジタル情報には、該ディジタル情報を記録媒体に記録することを許すか否かを示すコピー制御情報を含み、前記ディジタル情報を、所定の処理を行って記録する記録回路と、前記ディジタル情報に、所定の処理を行って出力する再生回路と、前記ディジタル情報から、前記コピー制御情報を検出する制御検出回路と、前記記録媒体に記録された前記ディジタル情報の、少なくとも一部を再生不能化する不能化回路と、前記検出回路での検出結果に基づき、前記再生回路の再生動作と前記記録回路の記録動作を制御する記録再生制御回路と、を備え、前記記録再生制御回路は、前記記録回路を制御し、前記コピー制御情報が、一世代のみ記録を許すことを示すもの（Ｃｏｐｙ  Ｏｎｅ  Ｇｅｎｅｒａｔｉｏｎ）である場合には、前記ディジタル情報とともに、予め定めた数の予め定めたビットレートに前記ディジタル情報を変換したディジタル情報を前記記録媒体に記録し、さらに前記記録再生制御回路は、前記制御検出回路で検出したコピー制御情報に従い、前記不能化回路の不能化動作を制御し、前記記録媒体から再生した前記ディジタル情報の前記コピー制御情報が、これ以上の記録を許さないことを示すもの（Ｃｏｐｙ  Ｎｏ  Ｍｏｒｅ）でありながら、当該再生装置に接続された記録装置に備えられた他の記録媒体に前記ディジタル情報を移動する場合は、再生した前記ディジタル情報信号を前記不能化回路で再生不能化する構成とした。
【００１１】
また、前記ディジタル情報記録再生装置において、前記記録再生制御回路は、前記記録装置に備えられる前記他の記録媒体が記録可能なビットレートに変換する構成とした。
また、前記ディジタル情報記録再生装置において、前記記録装置は、一つあるいは複数備え、異なるフォーマットの前記他の記録媒体を装着可能な構成とした。
【００１２】
また、前記ディジタル情報記録再生装置において、前記記録再生制御回路は、予め利用者に、前記ディジタル情報の移動先である前記他の記録媒体を一つあるいは複数選択可能にし、選択された前記他の記録媒体が記録可能なビットレートに変換する構成とした。
【００１３】
また、前記ディジタル情報記録再生装置において、前記記録再生制御回路は、予め利用者に、前記ディジタル情報の移動先である前記他の記録媒体を一つあるいは複数選択可能にし、さらに選択された前記他の記録媒体へ移動する前記ディジタル情報のビットレートを選択可能な構成とした。
【００１４】
また、前記ディジタル情報記録再生装置において、前記記録媒体に記録した前記ディジタル情報の移動可能先を、前記ディジタル情報毎に利用者に表示して、移動先である前記他の記録媒体を選択可能とする構成とした。
【発明の効果】
【００１５】
本発明によれば、著作権保護すべきディジタル情報の記録再生装置における記録媒体への記録制限を行える装置及び方法を提供でき、使い勝手が向上する。
【発明を実施するための最良の形態】
【００１６】
以下本発明によるディジタル情報記録再生装置の実施形態について説明する。
【実施例１】
【００１７】
１．ムーブと同時にコピーを作る為の構成例
図１は、ハードディスクなどの記録媒体に、コピー世代制御信号が付されたコンテンツを記録し、記録したコンテンツを他の記録媒体に指定回数分ムーブを許可するディジタル情報記録再生装置１００の一実施例を示すブロック図である。
【００１８】
図中１は入力端子であり、ディジタル放送等で用いられる例えばＭＰＥＧ２トランスポートストリーム(以降ＭＰＥＧ２−ＴＳとする)を入力する。２は制御信号検出部であり、入力されたＭＰＥＧ２−ＴＳ中に含まれるコピー世代制御情報を検出し、制御バス２２を介して制御部１０に検出結果を送信する。３は切替部であり、前記制御信号検出部２と後述の復号制御部１４からのストリームを制御部１０により切り替える。１３は暗号制御部であり、入力されたＭＰＥＧ２−ＴＳを暗号化する。４は記録制御部であり、記録媒体６へ記録するストリーム及びまたは、管理情報をメモリ９にバッファリングするとともに、記録する為のコマンドを発行し、ストリームの転送等の処理を行う。５は入出力部であり、記録媒体６をディジタル情報記録再生装置１００に接続し、データ転送を行う。６は記録媒体であり、例えばハードディスクなどで構成する。７は再生制御部であり、前記記録媒体６へコマンドを発行し管理情報やストリームを再生した後、メモリ９にバッファリングし復号制御部１４にストリームを出力する。また、前記再生御部７は前記制御信号検出部２により検出した結果に応じて、例えば、管理情報もしくはストリームを不能化制御部８に供給する。前記不能化制御部８は、入力された管理情報またはストリームを復元することを不可能にする為の変換処理を施し、前記記録制御部４に供給する。９はメモリであり、前記記録制御部４と前記再生制御部７からのストリームをそれぞれ別領域にバッファリングし、時分割に読み込みもしくは書き込みを行い、連続的にアクセスする為のバッファであり、例えば半導体メモリで構成する。１４は復号制御部であり、暗号化されたＭＰＥＧ２−ＴＳを復号化する。１０は制御部であり、例えばマイクロプロセッサ等により構成し、ディジタル情報記録再生装置１００を制御する。１１はムーブ回数情報更新部であり、記録媒体６に記録したコンテンツをムーブした数を検出し、制御部に結果を送信する。１２は出力端子であり、前記復号制御部１４より復号したコンテンツを出力する。２２は制御バスであり、制御部１０と制御バスに接続された各ブロック間においてデータ通信を行う。２３は、リモコンインタフェース制御部であり、入出力部２４を介してディジタル情報記録再生装置１００をユーザーが外部から操作する為の信号を制御部１０に送信する。
【００１９】
図２は、前記記録媒体６へコンテンツを記録した例を示す図である。
コンテンツごとに、コンテンツの内容を示す管理情報と、コンテンツの実態であるデータとをそれぞれ管理情報領域５０１と、データ領域５０２に記録する。管理情報には例えば、コンテンツのタイトルを示すファイル番号５０３，データ領域の先頭アドレス及び記録サイズ５０４、コピー情報５０８、ムーブ回数５０９、鍵情報５０６などを記録する。データ領域には、管理情報領域５０１に記録された先頭アドレス５０４に該当するアドレスからコンテンツを書き込む。新たにコンテンツを記録するたびにファイル番号１、ファイル番号２・・・・・、ファイル番号ｎと管理情報及びコンテンツが逐次記録されていく。
【００２０】
コピー情報５０８は、前記制御信号検出部２にて検出したコピー世代制御情報であり、例えば、２ビットの信号で
００＝コピー可(Copy Free）
１０＝一世代のみ記録を許す（Copy One Generation）
１１＝コピー禁止(Copy Never)
といった指定が考えられる。ディジタル情報記録再生装置１００において「Copy One Generation」を記録したコンテンツに対して、
０１＝Copy One Generationで一回コピーされたものをこれ以上コピーできない(Copy No More)
と定義してもかまわない。
【００２１】
ムーブ回数５０９は、例えば「Copy One Generation」のコンテンツを「Copy No More」として記録したコンテンツを、同一もしくは、異なるフォーマットで、ムーブ可能とするためのコピー許可回数を示す情報を格納し、例えば３回許可する意味を示す２を入力する。
【００２２】
２．暗号／復号制御部の説明
図３は、暗号制御部１３の構成を示す一実施例である。複数個からなる２０１，２０２，２０３は鍵情報であり暗号鍵を演算するときの種となる例えば、前記記録媒体６に内蔵された固有情報や、乱数発生器にて演算した乱数等を用いる。２０４は入力端子であり、鍵情報の一つである例えば、ムーブ回数情報更新部に保持した結果を入力する。前記鍵情報２０１〜２０４の一つ以上の情報が管理情報領域５０１内の鍵情報５０６に相当する。２０５は鍵生成部であり、前記鍵情報から暗号鍵を生成する。２０６は入力端子であり、平文に相当する前記切替部３が直結する。２０７は暗号器であり、２０８は出力端子であり、前記暗号器２０７により暗号化された信号が前記記録制御部４へと供給される。
【００２３】
図４は、復号制御部１４の構成を示す一実施例である。前記暗号制御部１３と同様に前記鍵情報２０１，２０２，２０３と前記入力端子２０４からの鍵情報が、前記鍵生成部２０５に供給され復号鍵を生成する。２０９は入力端子であり、前記記録媒体６に記録された暗号文を、前記再生制御部７を介し再生した信号が供給される。２１０は復号器であり、２１１は出力端子であり、前記復号器２１０により復号した信号を出力する。
【００２４】
図５は前記鍵生成部２０５の構成例を示す図である。図中２０１，２０２，２０３，２０４は鍵情報であり、２１２，２１４はレジスタであり、２１３はハッシュ関数演算器である。前記レジスタ２１２は、鍵情報を一時保持しハッシュ関数演算器２１３へ入力する。ハッシュ関数演算器２１３により演算された出力を、レジスタ２１４に保持し、暗号鍵または復号鍵とする。ここで鍵情報の例としては、１２８ビットの鍵情報１と８ビットの鍵情報２と１６ビットの鍵情報３と１６ビットの鍵情報４を連結した１６８ビットを、ハッシュ関数演算器２１２に供給する。前記ハッシュ関数演算器２１２では、この１６８ビットをハッシュ演算し演算結果のうちの例えば１２８ビットを抜出し鍵とする。ハッシュ関数は、その出力結果から、入力データが類推困難な関数であり、データ鍵から、秘密情報である鍵情報が求められない。本発明においては、前記鍵情報の数と連結の方法及び、ビット幅については、特に限定はしない。
【００２５】
前記構成において、ムーブ実行ごとに、鍵情報の一つとしての「コピー回数」が変化するため、その都度暗号鍵を演算し管理情報領域５０１の鍵情報５０６を更新する。
【００２６】
暗号鍵が同一コンテンツに対して異なる為、仮に「コピー回数」のみ改竄した場合においては、記録されたコンテンツを復号することが不可となり、コンテンツのムーブ数の制限をより確実に行うことができ、強度の高い著作権保護を実現できる。
【００２７】
また、前記鍵情報２０１，２０２，２０３，２０４のどれかひとつをムーブ実行時において変更することにより、同様にムーブ数の制限を規定できる。
【００２８】
３．動作説明
次に、ファイル番号１のコンテンツを記録時のコピー世代制御信号が「Copy One Generation」であり、且つムーブ回数５０９にて「３回」ムーブを許可したものとして、動作を説明する。
【００２９】
まず記録時は、前記制御部１０にてコンテンツの記録先アドレスなどの記録管理情報５０１を設定し、前記記録制御部４を介して前記記録媒体６に記録する。次に入力端子１からＭＰＥＧ２−ＴＳを入力し、特定パケット内に付されたコピー世代制御情報を制御信号検出部２で検出し、検出結果の「１０」を制御バス２２経由で前記制御部１０に通知する。前記制御部１０は、受信したコピー管理情報が「Copy One Generation」であった為、以降のコピーを禁止する「Copy No More」として、前記コンテンツのコピー情報５０８に格納する。
【００３０】
また、前記コンテンツの記録時は、コピー回数は３回可能である為、３から１を減算した「２」を鍵情報２１４に設定し暗号鍵を生成し、使用した鍵情報を管理情報領域５０１の鍵情報１として記録する。その後は、記録中のコンテンツが終了するまで、データ領域５０２に暗号化記録を続け、所定量の記録が終了するか、ユーザーによる停止要求がリモコンインタフェース制御部２３から入力された時点のサイズをアドレスと合わせて記録する。前記コンテンツは、コピー管理情報においては「Copy No More」であるが、２回まではムーブ可能となる。
【００３１】
次に、ファイル番号１のコンテンツの再生（ムーブ）について説明する。図１４はディジタル情報記録再生装置１００の出力端子１２をデコーダ及びモニタ等に接続し、ユーザーが操作するための操作画面の一実施例である。
【００３２】
図中(ａ)が記録コンテンツの一覧を示す図であり、(ｂ)が(ａ)から遷移しムーブ回数を確認する画面を示す図であり、(ｃ)が更に（ｂ）から遷移しムーブ先を選択する画面を示す図であり、(d)がムーブを終了し、ムーブ可能回数が減算された画面を示す例であり、(ｅ)が更に(ｄ)から遷移し、許可されたムーブ回数を実行し、タイトル欄からコンテンツが削除された例を示す図である。４０１は記録したコンテンツのタイトル、４０２が記録日時、４０３が記録時のビットレートを示す記録モード、４０４がムーブ可能回数、４０５がムーブ先を選択するメニューを示す。
【００３３】
まず前記制御部１０は、ユーザーによる「再生」もしくは「ムーブ」が選択されたことを示す信号をリモコンインタフェース制御部２３から検出すると、記録媒体６に記録された管理情報領域５０１を読み出し、記録コンテンツ一覧を示す図中の(ａ)画面を表示する。
ユーザーにより、タイトル「ＡＡＡＡＡ」を選択したことを示す信号を図２中の制御部１０が検出すると、「ＡＡＡＡＡ」コンテンツに対応するファイル番号１の情報を読み出す。
この時点で、図中の（ｂ）画面に遷移し、ムーブ可能な回数を、ユーザーに対して表示し、ムーブ実行の確認を促し入力を待つ。
【００３４】
これにより、ユーザーはムーブ可能な回数を認知でき、残りのムーブ回数を意識して実行することができる。
【００３５】
ユーザーによる許可を検出すると、図中（ｃ）画面に遷移しムーブ先を決定する。ここで、図中（ｂ）画面と（ｃ）画面は同一画面としてもよい。
【００３６】
ユーザーがムーブ先を選択すると、図２中の管理情報から鍵情報５０６を読み出す。次に、図１中の復号制御部１４の各鍵情報に読み出した値を設定し復号鍵を生成する。更に生成した復号鍵を復号制御部１４に設定する。
【００３７】
また、ムーブ回数情報更新部１１は、管理情報内のムーブ回数５０９を参照し、元の値の「２」から「１」減算した値の「１」を保持する。また、前記制御部１０は図２中の管理情報領域５０１に新たにファイル番号１と同一データサイズを有するファイル番号ｎを作成し、前記ムーブ回数情報更新部１１に保持した値を前記ムーブ回数５０９に書き換える。同時に、ファイル番号１の管理情報を再生制御部７から、不能化制御部８に供給し、元のデータを例えば、全て"１"に書き換える等の演算処理を施した後、結果を保持する。
【００３８】
前記不能化制御部８で演算する管理情報は、鍵情報５０６のみとしても、もとの暗号鍵が生成されない為、同一な効果が得られ、且つ制御に要する時間も最小に済む利点がある。
【００３９】
更に、切替部３を再生制御部７からの信号に切替えた後、アドレス１に記録した先頭アドレスから指定サイズ分のコンテンツをリードしムーブ処理を開始する。この時再生制御部７は、ムーブ対象コンテンツのコピー管理情報を「Copy One Generation」に変更する。
【００４０】
再生したコンテンツは復号制御部１４にて復号された後、出力端子１２から出力すると同時に、前記切替部３、前記暗号制御部１３、前記記録制御部４、前記メモリ９を介し、コピー管理情報が「Copy No More」のコンテンツとしてファイル番号ｎのアドレスｎに指定された先頭アドレスから順に記録される。この時の鍵情報の一つであるコピー回数は「１」となる。前記記録制御部４，前記再生制御部７は前記メモリ９に各コンテンツをバッファリングし、前記記録媒体６を時分割に制御し記録と再生を連続的に実行する。指定サイズ分の再生及び記録が終了した時点で、不能化制御部８に保持したファイル番号１の演算結果を記録制御部４により、ファイル番号１の管理情報領域に書き込む。
【００４１】
その後、ファイル番号ｎの管理情報のファイル番号を１に書き換えることにより、コピー回数が１減算されたファイル番号１のコンテンツが前記記録媒体６に存在することになる。図１４（ｄ）がムーブ終了時の操作画面となり、コピー回数が「１」に変更された構成となる。
【００４２】
更にコピー回数「１」のムーブ時においては、管理情報領域５０１にコピーを生成せず、ムーブ終了時に不能化制御部８にて、再生不能とした管理情報をファイル番号１の管理情報に上書きする。これにより、(ｅ)画面に示すように、タイトル「ＡＡＡＡＡ」のコンテンツは削除される。
【００４３】
前記構成にて、コピー世代制御信号が「Copy One Generation」コンテンツを記録し、「Copy No More」コンテンツとなったコンテンツに対しムーブ回数を制限した記録再生装置を実現できるため、コンテンツの著作権者に対しては、著作権の保護ができる。また、ユーザーに対しては、指定回数以内で他の記録媒体に対し同一コンテンツのムーブが可能となり、ムーブ後においても記録再生装置内にコンテンツが存在する為、視聴可能となり使い勝手が向上する。また、同一コンテンツを複数個用意しない為、記録媒体６の容量を有効に使用できる。
【実施例２】
【００４４】
４．レコーダへの応用例
次に図６を用いて実施例１のディジタル情報記録再生装置１００をディジタル放送レコーダ１０００に応用した一実施例を説明する。同一機能のものにおいては、同一符合とし説明を省略する。
【００４５】
３０１は入力端子であり、たとえば放送用衛星などの中継局からの電波が入力される。
３０２はチューナ部であり、ここでＲＦ帯域の電波はＩＦ帯域 (Intermediate Frequency) に周波数変換され、受信チャネルに依存しない一定の帯域の信号として、復調部３０３に出力するものである。復調部３０３は、チューナ部３０２から入力されたビットストリームに伝送のために施された変調操作を復調する。誤り訂正部３０４では、伝送途中で発生した符合の誤りを検出しさらには訂正した後、フィルタリング部３０４に出力するものである。フィルタリング部３０５は、誤り訂正部３０４から入力されたＭＰＥＧ２−ＴＳにつき伝送暗号の解除を行った後、記録媒体６に記録を行うプログラムが多重化されている１トランスポンダ周波数を選択し、この選択した１トランスポンダ内のビットストリームを１プログラムのオーディオとビデオのパケットに分離化する。３０６はタイムスタンプ付加部であり、後述するタイミング調整部３０７において受信時のパケット間隔を再生時においても保時する為に、受信したパケット内から時刻管理情報であるＰＴＳ(Presentation Time Stamp)と、ＭＰＥＧシステムの基準復号器内部のＳＴＣ(System Time Clock)を検出し、前記検出結果により補正したタイミングでタイムスタンプを付加するものであり、タイムスタンプを付加したＭＰＥＧ２−ＴＳをディジタル情報記録再生装置１００の入力端子１に供給し、記録媒体６に暗号化記録する。
【００４６】
再生時には、ディジタル情報記録再生装置１００の出力端子１２から復号化したＴＳパケットを受け取り、タイミング調整部３０７で、付加されたタイムスタンプを参照し、再生出力の時刻管理情報であるＰＴＳが、ＳＴＣと一致したときにそのアクセス・ユニットを再生出力する。前記タイミング調整部３０７の出力はＡＶデコーダ３０８に供給され、ＡＶデコーダ３０８にて、入力されたオーディオとビデオのパケットデータをデコードし、ビデオデータはディジタルエンコーダ３０９に、オーディオデータはオーディオＤＡＣ３１１にそれぞれ出力するものである。ディジタルエンコーダ３０９は、ＡＶデコーダ３０８から受け取ったビデオデータをテレビ出力信号に変換し、外部に出力端子３１０を介して出力するものである。オーディオＤＡＣ３１１は、ＡＶデコーダ３０８から受け取ったオーディオデータをアナログ信号に変換し、外部に出力端子３１２を介して出力するものである。また、出力端子１２は、第２のレコーダまたは記録媒体にコンテンツをムーブする為、第２の制御信号検出部３１３において、コピー管理情報を検出し「Copy One Generation」を「Copy No More」に変換し、第２の暗号制御部３１４にて暗号化したコンテンツをディジタルインタフェース制御部３１５に供給し、出力端子３１６に接続された第２のレコーダもしくは記録媒体に対して、コンテンツのムーブを行うものである。
【００４７】
この構成において、実施例１の説明のように、「Copy One Generation」のディジタル放送コンテンツを、レコーダ１０００が有する第１の記録媒体である例えばハードディスクに記録し、ハードディスクに記録した後は「Copy No More」コンテンツとして扱いつつ、リムーバブルな第２のレコーダもしくは記録媒体である例えば、ＤＶＨＳまたは光ディスクやメモリカード等に回数限定のムーブ機能を有することができる。従って、コンテンツの著作権者に対しては、著作権の保護ができる。また、ユーザーに対しては、指定回数以内で他の記録媒体に対し同一コンテンツのムーブが可能となり、ムーブ後においても記録再生装置内にコンテンツが存在する為、視聴可能となり使い勝手が向上する。また、同一コンテンツを複数個用意しない為、ハードディスクの容量を有効に使用できる。
【００４８】
前記ディジタルインタフェース制御部３１５の代わりとして、第２の記録制御部を設けても同様に他の記録媒体に対し、回数限定のムーブを行うことが可能である。また、ムーブ先においては、暗号化がなされているため、著作権保護も実現できる。
【実施例３】
【００４９】
５．予めコピーを作っておきムーブし削除する構成
次に、図７を用いて、コンテンツの記録時に予めムーブ用のコンテンツを生成し、ムーブ実行時にムーブ用コンテンツを削除する一実施例につき説明する。同一機能については、同一符号とし説明を省略する。
【００５０】
図中１５及び１６はエンコーダであり、入力したコンテンツに対して、出力端子１２，１８，１９のいずれかに接続された第２及び第３の記録媒体の記録容量に合わせた圧縮率にてエンコードする。
【００５１】
圧縮率は例えば、ディジタル放送においてのハイビジョン放送などの高精細（High Definition,以後ＨＤとする）方式から標準精細（Standard Definition,以後ＨＤとする）方式へとダウンコンバートし、記録容量の最適化を図る。エンコード方式としては、これに限定するものではなく、ＭＰＥＧ４もしくは、Ｈ．２６４方式のエンコーダとしても記録媒体に合わせたビットレートに変換できる。前記第１，第２のエンコーダ１５、１６は制御信号検出部２からの信号を圧縮し、切替部３に出力する。制御部１０は前記切替部３を時分割に切替え、前記制御信号検出部２と前記エンコーダ１５，１６の出力を暗号制御部１３経由で、記録制御部４に供給し、記録制御部４により、メモリ９に随時バッファリングしつつ、更に前記メモリ９にバッファリングしたストリームを記録媒体６に記録していく。
【００５２】
この構成によると、同一コンテンツに対して、受信時のコンテンツと第１のエンコーダで圧縮した第２のコンテンツと、第２のエンコーダで圧縮した第３のコンテンツが記録媒体６に記録することができる。
【００５３】
図８は、記録媒体６の管理情報領域５０１とデータ領域５０２を示す一実施例である。管理情報領域５０１には、同一コンテンツに対して、ビットレートの異なる３つのファイル、ファイル番号０_１，ファイル番号０_２，ファイル番号０_３が生成される。コピー回数は、各々の１回のみムーブが許可される為、「１」を設定する。この管理情報のビットレートを元に、例えば、カード用コンテンツ、光ディスク用コンテンツ、ＩＥＥＥ１３９４用コンテンツとユーザーに表示し、カード用コンテンツを出力端子１８に割り当て、カードへの記録を行うインタフェースを備え、光ディスク用コンテンツを出力端子１９に割り当て、光ディスクへの記録を行う例えばＡＴＡＰＩインタフェースを備え、ＩＥＥＥ１３９４用コンテンツを出力端子１２と、ＡＶデコーダ３０８に割り当て、Ｄ−ＶＨＳレコーダ等への記録を行うＩＥＥＥ１３９４インタフェースを備え、ユーザーに表示し選択させることでムーブ時において、細かな設定を必要としない機能とすることもできる。
【００５４】
また、逆にエンコーダ１５及び、またはエンコーダ１６のビットレートを、ユーザーにより任意に設定可能とすることで、出力端子１２，１８，１９に接続先された記録媒体に、より適応したビットレートのコンテンツが生成でき、記録媒体６の容量とムーブ実行速度の最適化が図れる。
【００５５】
また、エンコーダ１５とエンコーダ１６を同一の圧縮比に設定することで、同一圧縮率のコンテンツを２個生成することも可能となる。
【００５６】
また、前記エンコーダ１５，１６を削除して前記切替部３でそれぞれを切り替えることでも同一圧縮率のコンテンツを３個生成することができる。
【００５７】
６．動作説明
次に、記録媒体６に記録したコンテンツをムーブする動作について、ファイル番号１_２をムーブ対象とし説明する。
【００５８】
このコンテンツのムーブ実行時において、前記制御部１０は、管理情報領域５０１を記録媒体６から読み出す。図１５はディジタル情報記録再生装置１００の出力端子１２にデコーダ及びモニタ等を接続し、ユーザーが操作するための操作画面の一実施例である。
図中（ａ）が記録コンテンツの一覧を示す図であり、（ｂ）が（ａ）から遷移しムーブ可能なファイルを確認する画面を示す図であり、（ｃ）が更に（ｂ）から遷移し、ムーブ先を選択する画面を示す図であり、(ｄ)が更に(c)から遷移し、ムーブされた記録モードが削除された画面を示す図であり、（ｅ）が更に許容された数のムーブを行った後にコンテンツがタイトルから削除された画面を示す。
【００５９】
ユーザーが「ムーブ」を実行すると、まず前記制御部１０は記録媒体６に記録した管理情報領域５０１を読み出し、（ａ）画面を表示する。ユーザーは、ファイル番号１に相当するタイトル「ＢＢＢＢＢ」を選択すると（ｂ）画面に遷移し、ムーブ可能なビットレートのファイルを表示する。
【００６０】
次にムーブ対象のファイル「ＬＰモード」を選択すると（ｃ）画面に遷移し、ムーブ先を例えば、「メモリカード」に決定する。ムーブへの移行が実行すると、ムーブ回数情報更新部１１は、管理情報領域５０１内のムーブ回数５０９を参照し、「１」に変更し保持する。また、前記制御部１０は、ファイル番号１_２の管理情報を再生制御部７から、不能化制御部８に供給し、アドレス５０４を例えば、全て"１"に書き換える等の演算処理を施し、更にムーブ回数５０９の値をムーブ回数情報更新部の値に置き換えた後、結果を保持する。
【００６１】
設定が終了した時点から、ムーブを開始し、アドレス５に記録した先頭アドレスから指定サイズ分のコンテンツのリードを開始する。この時、再生制御部７は、ムーブするコンテンツのコピー管理情報を「Copy One Generation」に変更する。
【００６２】
再生したコンテンツは出力端子１２から復号し出力する。指定サイズ分の再生が終了した時点で、不能化制御部８に保持したファイル番号１_２の演算結果を記録制御部４により、ファイル番号１_２の管理情報領域に書き込む。
【００６３】
その結果、「ＬＰモード」が削除された（ｄ）画面となる。さらに「ＳＰモード」をムーブした場合、（ｅ）画面となり、ファイル番号１に相当するタイトル「ＢＢＢＢＢ」が削除される。
【００６４】
前記構成にて、コピー世代制御信号が「Copy One Generation」コンテンツを記録し、「Copy No More」コンテンツとなったビットレートの異なる同一コンテンツのムーブ回数を制限した記録再生装置を実現できるため、コンテンツの著作権者に対しては、著作権の保護ができる。また、ユーザーに対しては、指定回数以内で他の記録媒体に対し、適切なビットレートの同一コンテンツのムーブが可能となり、ムーブ後においても記録再生装置内にコンテンツが存在する為、視聴可能となる。更にムーブするコンテンツは記録時に既に生成されている為ムーブに要する時間が短縮化でき、使い勝手が向上する。
【実施例４】
【００６５】
７．レコーダ応用例
図９は、実施例３のディジタル情報記録再生装置をディジタル放送レコーダに応用した一実施例を示すブロック図である。
【００６６】
記録制御部３１９に第２の記録媒体として光ディスクが接続され、記録制御部３２３に第３の記録媒体としてメモリカードが接続され、ディジタルインタフェース制御部３１５の出力端子３１６には第４の記録媒体であるＩＥＥＥ１３９４インタフェースを有したＤ−ＶＨＳレコーダが接続された構成とする。
【００６７】
本構成によれば、各記録媒体に対して、各々一回ずつムーブが可能であり、且つ再生制御部により出力端子１２，１８，１９へ出力するコンテンツを切り替えることで同一記録媒体に同一コンテンツを２回ムーブすることも可能となる。
【００６８】
また、コピー世代管理情報は、再生制御部において「Copy No More」から「Copy One Generation」として、出力端子１２，１８，１９から出力する。制御信号検出部３１３，３１７，３２１において、コピー世代制御信号を検出し、「Copy One Generation」から「Copy No More」へ変更し各記録媒体にコンテンツを記録する。ここで、ディジタル情報記録再生装置１００とその他の構成要素を一体化した、例えばＬＳＩ(Large Scale Integrated Circuit)とした場合においては、制御信号検出部３１３，３１７，３２１を省略しコピー世代制御信号を「Copy No More」のままムーブしてもよい。前期構成によると、回路の簡素化を図ることができ、ＬＳＩのコストを低減することができる。
【００６９】
ディジタル放送レコーダを上記構成としたことにより、コピー世代制御信号が「Copy One Generation」コンテンツを記録し、「Copy No More」コンテンツとなったビットレートの異なる同一コンテンツのムーブ回数を制限した記録再生装置を実現できるため、コンテンツの著作権者に対しては、著作権の保護ができる。また、ユーザーに対しては、指定回数以内で他のレコーダや記録媒体に対し、適切なビットレートの同一コンテンツのムーブが可能となり、ムーブ後においても前記ディジタル放送レコーダ内にコンテンツが存在する為、視聴可能となる。更にムーブするコンテンツは記録時に既に生成されている為ムーブに要する時間が短縮化でき、ディジタル放送レコーダの使い勝手が向上する。
【実施例５】
【００７０】
８．ムーブの権利数をカウントダウン。ムーブと同時にコピーを作るがユーザーからは残りの権利数のみがみえる。
【００７１】
次に、図１０及び図１４を用いて、予めムーブするコンテンツを生成し、ムーブ実行時にムーブ用コンテンツを再度記録しなおし、ユーザーにはムーブ可能な回数のみを通知する一実施例につき説明する。
【００７２】
図１６はディジタル情報記録再生装置１００の出力端子１２にデコーダ及びモニタ等を接続し、ユーザーが操作するための操作画面の一実施例である。図中（ａ）が記録コンテンツの一覧を示す図であり、（ｂ）が（ａ）から遷移しムーブ可能なファイルを確認する画面を示す図であり、（ｃ）が更に（ｂ）から遷移し、ムーブ先を選択する画面を示す図であり、(ｄ)が更に(c)から遷移し、ムーブされた記録モードが削除された画面を示す図であり、（ｅ）が更に許容された数のムーブを行った後にコンテンツがタイトルから削除された画面を示す。
【００７３】
図１０中の切替部３により切り替える信号は、制御信号検出部２と、エンコーダ１５とエンコーダ１６と、復号制御部１４からの４つのストリームを切り替える構成となる。
前記切替部３の出力は暗号制御部１３にて順次コンテンツの暗号化を行い、記録制御部４によりメモリ９にバッファリングしつつ、記録媒体６に記録していく。この時の暗号鍵としては、同一のコンテンツに対して共通であっても、異なる値としてもどちらにおいても、コンテンツの著作権を保護することができる。
【００７４】
また、ムーブ回数情報更新部１１の値を鍵情報の一つとして用い、ムーブ実行ごとに変化させることにより、更にシステム全体のコンテンツ保護に対し強度が増す効果が得られる。コンテンツの記録時において、エンコーダ１５とエンコーダ１６により、異なるビットレートのコンテンツを生成し、３つのファイル番号を生成する点は実施例３と共通である。ここでは、ムーブ実行時には、切替部３を復号制御部７からの出力に設定し、ムーブ対象のコンテンツを再度記録媒体６に暗号化記録しなおす点と、管理情報領域５０１に記録するムーブ回数５０９とコピー情報５０８が、レートの異なる同一コンテンツ間で共通化する点が異なる。
【００７５】
この方式において、ユーザーには（ｂ）画面に示すようにムーブ可能な回数とムーブするコンテンツのレートを表示し決定を促す。ムーブが終了すると（ｃ）画面となりムーブ可能回数が減算される。
【００７６】
次にムーブを行う場合においては、(ｄ)画面となり、ムーブ回数は1回に減っているが、それぞれのビットレートのコンテンツが記録媒体６に存在する為、「ＳＰモード」と「ＬＰモード」のどちらかを選択可能となる。
【００７７】
ムーブ許可回数が「０」となった時点で全ての管理情報を不能化制御部８で、再生不能とし、（ｅ）画面としタイトルから削除される。
【００７８】
図１１は記録媒体６に記録された管理情報領域５０１と、データ領域５０２を示す図である。この例では、コピー情報５０８とムーブ回数５０９をコンテンツ単位で共通としたものである。再生時においては、ユーザーが選択したビットレートのコンテンツを再生し、ムーブが終了するごとに、共通のムーブ回数５０９を減算していき、ムーブ回数５０９が「０」になった時点で管理情報領域５０１から削除する。
【００７９】
前記構成にて、コピー世代制御信号が「Copy One Generation」コンテンツを記録し、「Copy No More」コンテンツとなったビットレートの異なる同一コンテンツのムーブ回数を制限した記録再生装置を実現できるため、コンテンツの著作権者に対しては、著作権の保護ができる。また、ユーザーに対しては、指定回数以内で他の記録媒体に対し、同一もしくは異なったビットレートの同一コンテンツのムーブが可能となり、ムーブ後においても記録再生装置内にコンテンツが存在する為、視聴可能となる。更にムーブするコンテンツが記録時に生成されているため、ムーブに要する時間が短縮化できる。更に、一度ムーブしたビットレートのコンテンツを再度記録しなおす為、同一ビットレートのコンテンツを指定回数内であれば複数回ムーブ可能となる。また、エンコーダ１５とエンコーダ１６のビットレートをユーザーにより、任意に設定可能とし、第２及び第３の記録媒体に最適化した容量に予め設定できるため、使い勝手向上する。
【００８０】
９．レコーダ応用例
図１２は実施例５のディジタル情報記録再生装置をディジタル放送レコーダに応用した一実施例である。出力端子１２からは、ディスプレイへの表示用と、第２の記録媒体へムーブする為のコンテンツを出力する。出力端子１８には、第３の記録媒体へムーブするビットレート変換したコンテンツを出力する。また、出力端子１９には、第４の記録媒体へムーブするビットレート変換したコンテンツを出力する。ムーブするコンテンツは、切替部２０と切替部３により、再度記録媒体６へ記録し、コピー回数情報のみが減算される。従って、例えば、出力端子１２からビットレート変換したコンテンツをムーブしても、コピー回数情報が「０」でなければ、以降に同一ビットレートのコンテンツを再度ムーブ可能となる。
【００８１】
前記構成のディジタル放送レコーダにて、コピー世代制御信号が「Copy One Generation」コンテンツを記録し、「Copy No More」コンテンツとなったビットレートの異なる同一コンテンツのムーブ回数を制限したディジタル放送レコーダを実現できるため、コンテンツの著作権者に対しては、著作権の保護ができる。また、ユーザーに対しては、指定回数以内で他の記録媒体に対し、同一もしくは異なったビットレートの同一コンテンツのムーブが可能となり、ムーブ後においても記録再生装置内にコンテンツが存在する為、視聴可能となる。更にムーブするコンテンツが記録時に生成されているため、ムーブに要する時間が短縮化できる。更に、一度ムーブしたビットレートのコンテンツを再度記録しなおす為、同一ビットレートのコンテンツを指定回数内であれば複数回ムーブ可能となる。また、エンコーダ１５とエンコーダ１６のビットレートをユーザーにより、任意に設定可能とし、第２及び第３の記録媒体に最適化した容量に予め設定できるため、ディジタル放送レコーダの使い勝手向上する。
【００８２】
また、第２，３，４記録媒体に記録時においても、それぞれのフォーマットに適応した暗号制御部３１４，３１９，３２３を付加し、暗号化する為、ムーブ先においてもコンテンツの著作権保護を実現可能とする。
【実施例６】
【００８３】
１０．オフタイム時にダウンコン実施
次に、図１３を用いて、記録再生が動作していないオフタイム時に、記録済みのコンテンツをダウンコンバートし、ムーブ用コンテンツを生成する実施例について説明する。
【００８４】
エンコーダ１５の入力に切替部２１を新たに設け、制御信号検出部２と復号制御部１４の出力の一方を入力する構成とする。通常は、切替部２１は制御検出部２を選択しており、ユーザーが指定したビットレートに圧縮処理を施す。切替部３において前記エンコーダ１５と制御信号検出部２の出力の一方を記録媒体６に記録する。ここで、制御部１０はタイマー録画が設定されていない時間や、ユーザーにより設定された時間帯（例えば深夜等）において起動し、記録媒体６に記録されたコンテンツを再生し、切替部２１を復号制御部１４に切替、ビットレート変換した同一コンテンツを限定数生成していく。ビットレート変換用の再生が実行されるごとに、管理情報領域５０１に新たなファイル番号５０３が追加され、許可されたコピー回数分のムーブ用のファイルを生成する。ファイルが許可されたコピー回数分生成していない時点で、ムーブが実行されたときは、ムーブ用ファイルの生成数を自動で減算し、許可回数を上回らないように管理する。
【００８５】
この構成によれば、コピー世代制御信号が「Copy One Generation」コンテンツを記録し、「Copy No More」コンテンツとなったコンテンツのムーブ回数を制限した記録再生装置を実現できるため、コンテンツの著作権者に対しては、著作権の保護ができる。また、ユーザーに対しては、指定回数以内で他の記録媒体に対し、同一もしくは異なったビットレートの同一コンテンツのムーブが可能となり、ムーブ後においても記録再生装置内にコンテンツが存在する為、視聴可能となる。更にムーブするコンテンツがユーザーの使用していない時間帯に生成されているため、ムーブに要する時間が短縮化できる。更に、一度ムーブしたビットレートのコンテンツを再度記録しなおす為、同一ビットレートのコンテンツを指定回数内であれば複数回ムーブ可能となり、使い勝手向上する。
【００８６】
また、エンコーダ１５を一つとすることにより、ＬＳＩもしくは記録再生装置のコストを低減することができる。
【実施例７】
【００８７】
１１．ＤＶＤ等に記録されたコンテンツを再生し記録するレコーダの例
図１７は実施例４のディジタル情報記録再生装置において、第２の記録媒体３２０である例えば光ディスクに記録されたコンテンツを再生し、第一の記録媒体６に記録する一実施例である。
【００８８】
記録媒体３２０の製造者により、記録されたコンテンツには予めコピー世代制御信号が「Copy One Generation」として、記録されているものとする。
【００８９】
前記の記録媒体３２０をレコーダ１０００のトレイに挿入し、入出力部２５にユーザーからの記録開始が選択されたことを示す信号が入力されると、記録媒体３２０から再生制御部３２５によりコンテンツを再生し、復号制御部３２６において暗号化されたコンテンツを復号処理し、入力端子１に供給する。
【００９０】
この構成にすることにより、例えば再生のみを対象とした光ディスク等などに記録されたコンテンツにおいても、ムーブの回数を指定することが可能となり、レコーダ１０００の使い勝手を向上させることができる。
【００９１】
図１８は実施例５のディジタル情報記録再生装置において、第２の記録媒体３２０である例えば光ディスクに記録されたコンテンツを再生し第一の記録媒体６に記録する一実施例である。
【００９２】
この構成においても、記録媒体３２０に記録されたコンテンツに対して、ムーブの回数を規定することが可能となり、レコーダ１０００の使い勝手が向上する。
【００９３】
ここで、図１７と図１８に示すレコーダ１００の入力端子１に入力するコンテンツをディジタル放送と記録媒体３２０からの双方を切り替える方式としてもよい。
【００９４】
また、再生する記録媒体を記録媒体３２４と記録媒体３２０を選択可能としても同一の効果が得られる。
【実施例８】
【００９５】
１２．ディジタル放送運用とレコーダの関係の例
次に上記実施例を適用するディジタル放送システム全体について、図１９，図２０を用いて説明する。
【００９６】
図１９は、本発明で用いるシステム全体の実施形態を示すブロック図であって、放送で情報を送受信し、また記録再生する場合を例にとって示したものである。これには、本発明のディジタル情報記録再生装置が含まれている。６０１は放送局などの情報提供局、６０２は中継局、１０００はディジタル情報記録再生装置を含むレコーダ、６０４はディスプレイ、６０５は第二の記録再生装置である。なお、ここで放送などを記録する際は、ディジタル情報記録再生装置に含まれる第一の記録媒体６、第二の記録再生装置６０５のいずれか、あるいは双方に記録することができる。
【００９７】
放送局など情報提供局６０１は、たとえば放送用衛星などの中継局６０２を介して、情報によって変調された信号電波を伝送する。勿論、それ以外のたとえばケーブルによる伝送、電話線による伝送、地上波放送による伝送などを用いても良い。受信側のレコーダ１０００で受信されたこの信号電波は、復調されて情報信号となった後、必要に応じ、第一の記録媒体６ないし、第二の記録再生装置６０５へ記録するに適した信号となって記録される。また、ディスプレイ６０４へ送られる。ここでユーザーは、情報内容を直接視聴することができる。
【００９８】
また、上記した第一の記録媒体６、第二の記録再生装置６０５で再生された情報は、レコーダ１０００を介してディスプレイ６０４へ与えられ、元の映像音声などの情報が視聴される。情報が予め記録された取外し可能な記録媒体が提供される時は、これを取付けた、たとえば第二の記録再生装置６０５での再生動作以降が行われる。なお、装置間の情報の授受はディジタル信号で行われることが多いが、たとえばレコーダ１０００とディスプレイ６０４の間は、アナログ信号で接続することもある。
【００９９】
図２０は、上記システムのうち、放送局などの情報提供局６０１の構成例を示すブロック図である。７０１はソース発生部、７０２はＭＰＥＧ方式等で圧縮を行うエンコード回路、７０３はスクランブル回路、７０４は変調回路、７０５は送信アンテナ、７０６は管理情報付与回路、７０７は入力端子である。カメラ、記録再生装置などから成るソース発生部７０１で発生した映像音声などの情報は、より少ない占有帯域で伝送できるよう、エンコード回路７０２でデータ量の圧縮が施される。必要に応じてスクランブル回路７０３で、特定の視聴者のみが視聴可能となるように伝送暗号化される。変調回路７０４で伝送するに適した信号となるよう変調された後、送信アンテナ７０５から、たとえば放送用衛星などの中継局６０２に向けて電波として発射される。この際管理情報付与回路７０６では、前記したコピー制御情報を始め現在時刻等の情報を付加する。また入力端子７０７からは、先の図１９では省略したが、たとえばリクエスト情報が電話回線などを介して入力される。これはビデオオンデマンドなど、視聴者のリクエストに応えて送出する情報を決定するシステムで活用される。なお、実際には一つの電波には複数の情報が、時分割、スペクトル拡散などの方法で多重されることが多い。
【０１００】
簡単のため図２０には記していないが、この場合、ソース発生部７０１とエンコード回路７０２の系統が複数個あり、エンコード回路７０２とスクランブル回路７０３との間に、複数の情報を多重するマルチプレクス回路が置かれる。前記の管理情報付与回路７０６において、ディジタル放送の運用者がコンテンツに対して、ムーブ回数を指定することにより、ディジタル情報記録再生装置１０００にてムーブする回数を制限することが可能となり、コンテンツの著作権を保護し、且つユーザーにおいては、同一コンテンツのムーブがディジタル放送局側で設定した回数内で複数回可能となり使い勝手が向上した、ディジタル放送システムを運用することができる。
【０１０１】
図１９、２０では、送信アンテナより中継局を経由して情報を送信しているが、これに限らない。例えば、情報提供局がサーバであり、サーバからディジタル情報記録再生装置までインターネットを経由するようにしても良い。
【０１０２】
また、以上の実施例を組合わせたものも、本願の実施例の一つであることは言うまでもない。
【図面の簡単な説明】
【０１０３】
【図１】本発明の第１の実施形態に係るディジタル情報記録再生装置の一実施形態を示すブロック図。
【図２】本発明の第１の実施形態に係る記録管理情報の構成を示す図である。
【図３】本発明の第１の実施形態に係る暗号制御部の構成例を示すブロック図。
【図４】本発明の第１の実施形態に係る復号制御部の構成例を示すブロック図。
【図５】本発明の第１の実施形態に係る鍵生成部の構成例を示すブロック図。
【図６】本発明の第２の実施形態に係るディジタル情報記録再生装置全体の一実施形態を示すブロック図。
【図７】本発明の第３の実施形態に係るディジタル情報記録再生装置の一実施形態を示すブロック図。
【図８】本発明の第３の実施形態に係る記録管理情報の構成を示す図である。
【図９】本発明の第４の実施形態に係るディジタル情報記録再生装置全体の一実施形態を示すブロック図。
【図１０】本発明の第５の実施形態に係るディジタル情報記録再生装置の一実施形態を示すブロック図。
【図１１】本発明の第５の実施形態に係る記録管理情報の構成を示す図である。
【図１２】本発明の第６の実施形態に係るディジタル情報記録再生装置の一実施形態を示すブロック図。
【図１３】本発明の第７の実施形態に係るディジタル情報記録再生装置の一実施形態を示すブロック図。
【図１４】本発明の第１の実施形態に係る操作画面の一実施形態を示す図。
【図１５】本発明の第３の実施形態に係る操作画面の一実施形態を示す図。
【図１６】本発明の第５の実施形態に係る操作画面の一実施形態を示す図。
【図１７】本発明の第７の実施形態に係るディジタル情報記録再生装置の一実施形態を示す図。
【図１８】本発明の第７の実施形態に係るディジタル情報記録再生装置の一実施形態を示す図。
【図１９】本発明の第８の実施形態に係るディジタル放送の一実施形態を示す図。
【図２０】本発明の第８の実施形態に係る情報提供局の一実施形態を示す図。
【符号の説明】
【０１０４】
１、２０６、２０９、３０１、６０７…入力端子，２、３１３、３１７、３２１…制御信号検出部，３、２０、２１…切替部、４、３１９、３２３…記録制御部，５、１７、２４、２５、３１５…入出力部，６、３２０、３２４…記録媒体，７、３２５…再生制御部，８…不能化制御部，９…メモリ，１０…制御部，１１…コピー回数情報更新部，１２、１８、１９、２０８、２１１、３１０、３１２…出力端子，１３、３１４、３１８、３２２…暗号制御部，１４、３２６…復号制御部，１５、１６…エンコーダ，２２…バス，２３…リモコンインタフェース制御部，１００、６０５…記録再生装置，２０１、２０２、２０３、２０４、５０６…鍵情報，２０５…鍵生成部，２０７…暗号器，２１０…復号器，３０２…チューナ部，３０３…復調部，３０４…誤り訂正部，３０５…フィルタリング部，３０７…タイミング調整部，３０８…ＡＶデコーダ，３０９…ディジタルエンコーダ，３１１…オーディオＤＡＣ，３１４…ディジタルインタフェース制御部，        ４００…ユーザー操作画面，４０１…タイトル欄，４０２…記録日時欄，４０３…記録モード欄，４０４…ムーブ可否欄，４０５…ムーブ先設定欄，５０１…管理情報領域，５０２…データ領域，５０３…ファイル番号，５０４…日時情報，５０５…アドレス，５０７…ビットレート指定，５０８…コピー情報，５０９…コピー回数，５１０…コンテンツ，
６０１…情報提供局、６０２…中継局、６０４…ディスプレイ、６０５…送信アンテナ、６０６…管理情報付加部、１０００…レコーダ
【図１】
2006114090.tif 000003
【図２】
2006114090.tif 000004
【図３】
2006114090.tif 000005
【図４】
2006114090.tif 000006
【図５】
2006114090.tif 000007
【図６】
2006114090.tif 000008
【図７】
2006114090.tif 000009
【図８】
2006114090.tif 000010
【図９】
2006114090.tif 000011
【図１０】
2006114090.tif 000012
【図１１】
2006114090.tif 000013
【図１２】
2006114090.tif 000014
【図１３】
2006114090.tif 000015
【図１４】
2006114090.tif 000016
【図１５】
2006114090.tif 000017
【図１６】
2006114090.tif 000018
【図１７】
2006114090.tif 000019
【図１８】
2006114090.tif 000020
【図１９】
2006114090.tif 000021
【図２０】
2006114090.tif 000022